(57)【要約】【課題】  線材を利用する構造の簡単な且つボ−ルを強固に支えることの出来、使用者が腰を屈めることなく、グリ−ン上、カップ中にある或いはホ−ルポストにあるボ−ルを拾い上げることの出来る携帯の容易なパ−クゴルフ又はグランドゴルフのボ−ル捕獲器の提供。【解決手段】  線材により、一部が不連続のリングを同一平面で形成し、その不連続部分で垂直方向に屹立する湾曲する二本の足の先端を台座に固定し、この台座と平坦なピンホルダ−とによってクリップホルダ−を挟み、クリップホルダ−と一体のクリップ板をズボンのベルトなどを挟んで携帯するパ−クゴルフまたはグランドゴルフのボ−ル捕獲器とするものである。【選択図】    図１
0003119010.tif 000002
【実用新案登録請求の範囲】
【請求項１】
一本の線材から成り、ボ−ルの直径より多少小さい直径の一部不連続のリングを同一平面で形成し、前記リングの不連続部から垂直方向に折り曲げボ−ルの円周長の略四分の一程度の長さの円弧となるように湾曲させて屹立する線材の両側先端部を台座に固定して弾性リング本体とし、前記台座の裏面にはピンホルダ−のピン穴に嵌合する軸より大きい頭部を有する保持ピンを設けるとともに、帯状の、携帯するためにベルト等に挟んで使用するＵ字状のクリップ板と一体に形成される平板状クリップホルダ−を前記台座とピンホルダ−で挟持し、ボ−ルを捕獲するときには、前記台座を引き抜いてクラブリップに差し込んで使用するパ−クゴルフ或いはグランドゴルフのボ−ル捕獲器。
【考案の詳細な説明】
【持術分野】
【０００１】  本考案は、パ−クゴルフ或いはグランドゴルフのボ−ルを拾い上げる為のボ−ル捕獲器に関するものである。
【背景技術】
【０００２】  従来、グリ−ン上又はカップ中のパ−クゴルフのボ−ルを或いはグランドゴルフのホ−ルポスト内にあるボ−ルを拾う捕獲用の器具として腰を屈めなくても済むものが幾つか提案されているが、特に本考案と同様に線材による弾性を利用するものが、外側にボ−ルの曲率に合致するように内側に湾曲する周縁を形成し、ボ−ルを挟持出来るように付根から先方に向けて末広がりに拡がる線状の連続する爪を二股にして二箇所に設けるキャップをステックのグリップ先端部に挿入する器具として公知されている。
【特許文献１】  実用新案登録第３０９８７３４号公報
【考案の開示】
【考案が解決しようとする課題】
【０００３】  前記、線材を使用する公知例にあっては、二股の爪に依り挟持するもので、その捕捉力が充分でないという問題があり、この問題を解決し且つ携帯に便利な腰を屈めることなくゴルフボ−ル等のボ−ルを捕獲する器具を提供することを目的に本考案が為されたものである。
【課題を解決するための手段】
【０００４】  ボ−ルの直径より多少小さい直径の一部が不連続となるリングを同一平面で即ち水平に形成し、このリングの不連続部から垂直方向に折り曲げて、ボ−ルの円周の弧の長さの略四分の一程度の長さの円弧となるように湾曲させて屹立する線材の両先端部を、裏面にピンホルダ−のピン穴に嵌合する軸径より少し大きめの球状頭部を有するピンを設ける台座の表面に固定して弾性リングによる捕獲器本体とし、帯状の、携帯するためにズボンのベルトなどに差し込んで使用するＵ字状のクリップ板と一体に形成される平板状クリップホルダ−を前記台座とピンホルダ−で挟持して成る本体とホルダ−を対とするボ−ル捕獲器とするものである。
【考案の効果】
【０００５】  本考案により、パ−クゴルフ或いはグランドゴルフにおいてボ−ルを拾い上げるときに腰を屈める必要がなく、高齢者や車椅子使用者が容易に使用でき、且つ一本の線材でリング状に形成し弾性力の比較的強いものとなり、ホルダ−付きなので携帯に特別の用具を必要としない等の優れた効果を有するものとなる。
【考案を実施するための最良の形態】
【０００６】  以下、図面に示し実施例に従って実施態様を説明する。
図１及び図２は、捕獲器の構成全体を示すもので、ボ−ルを抱える線材から成るリング１の二本の足が台座２に固定され、この台座２の裏面に設けるピン３がピンホルダ−５に、帯状の素材に依り作られ、ズボンのベルト（図省略）に挟めるＵ字状のクリップ板６と一体化されているクリップホルダ−４を挟持するように嵌合してホルダ−と捕獲器本体が一対となり、通常はこの状態でゲ−ムをしている。参考までに、リング１の大きさに対して破線で示すようにボ−ル８の大きさの比較を示してある。ピン３の頭部は球状になっており嵌合をより強固なものとするものである。【０００７】  図３乃至図５にはリング状捕獲器本体の実施例を示してある。線材により同一平面状即ち水平に、一部を不連続にするボ−ル８の直径より多少小さめの直径でリング１を形成し、その不連続部において二本の足を垂直方向に略ボ−ル８の円周長の略四分の一程度の弧の長さで湾曲させて屹立させ、その足の先端部を台座２の表面に固定するものであり、台座２の裏面には頭部が軸径より多少大きい球状に形成するピン３を設けるものである。リング１に施す不連続部によりリング１が弾力を有し、ボ−ル１を拾い上げるときには、リング１を押し込みボ−ル１の大径を越した部分で縮み、その位置で拾い上げてボ−ル１の落下を防止することになる。【０００８】  図６乃至図８にはホルダ−の一実施例を示す。帯状の素材から成り、Ｕ字上に屈曲するクリップ板６と平坦面を有するクリップホルダ−４を一体化するものであり、クリップホルダ−４にはピンホルダ−５を固定するもので、ピンホルダ−５にはピン３が嵌合するピン穴７が形成されている。このホルダ−板６をズボンのベルト等を挟んでゲ−ム中常時使用するものである。【０００９】  図９は、ボ−ル８を拾う場合の使用状態図である。捕獲器本体の台座２をホルダ−から外し、クラブヘッド９から延長するクラブシャフト１０に設けるクラブグリップ１１のグリップエンドに設けてあるピン穴（図面省略）に差し込んでクラブシャフト１０を逆にし、リング１をボ−ル８の上から押し込んでボ−ル８の大径部を越したところで拾い上げるものであり、シャフトを利用して行なうので腰を屈める動作を取る必要が全く無く、極めて容易にボ−ルを拾い上げることが可能となるものである。【００１０】  本考案における線材の材質を特に問うものではなく金属でも非金属材料でも適当な強度を有するものであれば良く又ホルダ−の形状、材質も特に問うものではなく帯状のものであれば良い。要するに、線材により一部を不連続となるリングを形成し、二本の足を台座に固定してリングに弾性を持たせてボ−ルを支える力を強固にすることが捕獲器本体の特徴であり、この本体とホルダ−を対として構成するものである。
【図面の簡単な説明】
【００１１】
【図１】  全体の構成を示す斜視図である。
【図２】  同上、側面図である。
【図３】  捕獲器本体の平面図である。
【図４】  同上、正面図である。
【図５】  同上、側面図である。
【図６】  ホルダ−部の側面図である。
【図７】  同上、正面図である。
【図８】  同上、背面図である。
【符号の説明】
１    リング
２    台座
３    ピン
４    クリップホルダ−
５    ピンホルダ−
６    クリップ板
７    ピン穴
８    ボ−ル
１１  クラブグリップ
【図１】
0003119010.tif 000003
【図２】
0003119010.tif 000004
【図３】
0003119010.tif 000005
【図４】
0003119010.tif 000006
【図５】
0003119010.tif 000007
【図６】
0003119010.tif 000008
【図７】
0003119010.tif 000009
【図８】
0003119010.tif 000010
【図９】
0003119010.tif 000011
【手続補正書】
【提出日】平成17年11月11日(2005.11.11)
【手続補正１】
【補正対象書類名】明細書
【補正対象項目名】００１１
【補正方法】変更
【補正の内容】
【００１１】
【図１】    全体の構成を示す斜視図である。
【図２】    同上、側面図である。
【図３】    捕獲器本体の平面図である。
【図４】    同上、正面図である。
【図５】    同上、側面図である。
【図６】    ホルダ−部の側面図である。
【図７】    同上、正面図である。
【図８】    同上、背面図である・
【図９】    使用状態図である。